(57)【要約】      （修正有）【課題】ヘアケア剤による効果を発揮させやすくし、また、毛髪を乾燥させる際のダメージを抑え、さらに、ブローによる仕上げの整髪をしやすくするうえで、適切な毛髪の状態を実現することができる毛髪処理方法を提供する。【解決手段】毛髪処理方法は、毛髪を濡らす洗髪手順と、濡れた毛髪から水分を直接吸水する一次乾燥手順と、赤外線で毛髪の表面の水分を気化させると共に熱風ではない風を毛髪に当てることで、毛髪の内部に水分を残して毛髪の表面を乾かす二次乾燥手順とを経る。二次乾燥手順において、赤外線が毛髪の表面の水分に吸収されて表面の水分のみが気化し、同時に、毛髪は、内部の潤いが残ったまま表面のキューティクルが風で引き締められる。【選択図】図１
2020044030.tif 000002
【特許請求の範囲】
【請求項１】
濡れた毛髪から水分を直接吸水する一次乾燥手順と、
赤外線で毛髪の表面の水分を気化させると共に熱風ではない風を毛髪に当てることで、毛髪の内部に水分を残して毛髪の表面を乾かす二次乾燥手順と、を経る、
ことを特徴とする毛髪処理方法。
【請求項２】
前記二次乾燥手順の後に、熱風で毛髪を乾かす三次乾燥手順を経る、
ことを特徴とする請求項１に記載された毛髪処理方法。
【請求項３】
前記一次乾燥手順では、繊維製部材を毛髪に接触させる、
ことを特徴とする請求項１または請求項２に記載された毛髪処理方法。
【請求項４】
前記一次乾燥手順の後、前記二次乾燥手順の前に処理剤を毛髪に塗布し、前記二次乾燥手順において処理剤を毛髪に浸透させる、
ことを特徴とする請求項１から請求項３のいずれか１項に記載された毛髪処理方法。
【請求項５】
前記赤外線は、波長が２．５から３．５μｍのとき、分光放射発散度が１００００／ｍ２・μｍ以上である、
ことを特徴とする請求項１から請求項４のいずれか１項に記載された毛髪処理方法。
【発明の詳細な説明】
【技術分野】
【０００１】
本発明は、毛髪処理方法に関するものである。
【背景技術】
【０００２】
従来、例えば、理美容施設では、被施術者に対し、カット、カラー、パーマなどの施術の他、オイルやトリートメント剤などのヘアケア剤の塗布、洗髪や乾燥が行われる。特に、ヘアケア剤の塗布や毛髪の乾燥は、理美容施設に限られず、一般家庭においても日常的に行われている。一般的に、毛髪の乾燥はヘアドライヤによって行われ、例えば、下記特許文献１にヘアドライヤが記載されている。このヘアドライヤによれば、ファンによって発生した風が、ヒーターを通って熱風となって吹き出す。
【先行技術文献】
【特許文献】
【０００３】
【特許文献１】特開平５−２２００１０号公報
【発明の概要】
【発明が解決しようとする課題】
【０００４】
毛髪の濡れ具合は、毛髪に対するヘアケア剤の効能や、ブローやヘアセットなどによる仕上げの整髪に影響することから、所望の濡れ具合とするために、毛髪をどの程度乾燥させるかが重要である。すなわち、毛髪を完全に乾燥させず、適度な湿り気を保たせた状態に乾燥させることが望ましい。
【０００５】
上記したヘアドライヤは、毛髪の乾燥の程度を考慮した機能がないため、熱風によって毛髪が完全に乾く。また、毛髪の乾燥の程度や、毛髪へのダメージを抑えた熱の与え方は、ヘアドライヤを操作する者の手腕によって異なるため、毛髪を適切な状態に、かつ、ダメージ抑えて乾燥させることは困難である。
【０００６】
本発明は、上記の実情に鑑みて提案されたものである。すなわち、処理剤による効果を発揮させやすくし、また、毛髪を乾燥させる際のダメージを抑え、さらに、ブローによる仕上げの整髪をしやすくするうえで、適切な毛髪の状態を実現することができる毛髪処理方法の提供を目的とする。
【課題を解決するための手段】
【０００７】
上記目的を達成するために、本発明に係る毛髪処理方法は、濡れた毛髪から水分を直接吸水する一次乾燥手順と、赤外線で毛髪の表面の水分を気化させると共に熱風ではない風を毛髪に当てることで、毛髪の内部に水分を残して毛髪の表面を乾かす二次乾燥手順と、を経る、ことを特徴とする。
【０００８】
本発明に係る毛髪処理方法は、前記二次乾燥手順の後に、熱風で毛髪を乾かす三次乾燥手順を経る、ことを特徴とする。
【０００９】
本発明に係る毛髪処理方法は、前記一次乾燥手順では、繊維製部材を毛髪に接触させる、ことを特徴とする。
【００１０】
本発明に係る毛髪処理方法は、前記一次乾燥手順の後、前記二次乾燥手順の前に処理剤を毛髪に塗布し、前記二次乾燥手順において処理剤を毛髪に浸透させる、ことを特徴とする。
【００１１】
本発明に係る毛髪処理方法では、前記赤外線は、波長が２．５から３．５μｍのとき、分光放射発散度が１００００／ｍ２・μｍ以上である、ことを特徴とする。
【発明の効果】
【００１２】
本発明に係る毛髪処理方法は、濡れた毛髪から水分を直接吸水する一次乾燥手順と、赤外線で毛髪の表面の水分を気化させると共に熱風ではない風を毛髪に当てることで、毛髪の内部に水分を残して毛髪の表面を乾かす二次乾燥手順とを経る、この構成により、一次乾燥手順において、毛髪から水分が適度に取り除かれる。二次乾燥手順において、赤外線が毛髪の表面の水分に吸収され、毛髪は、内部に水分が残って潤ったまま、表面の水分のみが気化する。同時に、毛髪は、風が当たることで、内部の潤いが残ったまま表面のキューティクルが引き締められる。風は、頭髪の表面だけでなく、密集した頭髪をかき分けて、内部の毛髪に届くため、頭髪全体に渡って各毛髪が同様に処理される。すなわち、毛髪は、内部に水分を残しつつ、表面が乾燥することで、処理するうえで適切な状態となり、かつ、毛髪を乾燥させる際のダメージが抑えられる。例えば、オイルやトリートメント剤が毛髪に浸透しやすくなり、また、仕上げの整髪がしやすくなる。
【００１３】
本発明に係る毛髪処理方法は、二次乾燥手順の後に、熱風で毛髪を乾かす三次乾燥手順を経る。したがって、毛髪が適切な状態において、適切なブローやヘアセットをすることができる。
【００１４】
本発明に係る毛髪処理方法は、一次乾燥手順では、繊維製部材を毛髪に接触させる。したがって、簡便な手段で、毛髪から水分を適度に取り除くことができる。
【００１５】
本発明に係る毛髪処理方法は、一次乾燥手順の後、二次乾燥手順の前に処理剤を毛髪に塗布し、二次乾燥手順において処理剤を毛髪に浸透させる。したがって、処理剤が浸透しやすくなる。
【００１６】
本発明に係る毛髪処理方では、赤外線は、波長が２．５から３．５μｍのとき、分光放射発散度が１００００／ｍ２・μｍ以上である。波長が２．５から３．５μｍの赤外線は、水分を吸収しやすく、また、分光放射発散度が１００００／ｍ２・μｍ以上であれば、水分を効果的に蒸発させることができる。
【図面の簡単な説明】
【００１７】
【図１】図１は、本発明の実施形態に係る毛髪処理方法を実行する際に用いられる毛髪処理装置が示され、（ａ）は右側面図、（ｂ）は正面図、（ｃ）は背面図である。
【図２】図２は、本発明の実施形態に係る毛髪処理方法を実行する際に用いられる毛髪処理装置における施術本体部の正面拡大図である。
【図３】図３は、本発明の実施形態に係る毛髪処理方法を実行する際に用いられる毛髪処理装置における施術本体部の断面が示され、図２におけるＡ−Ａ断面図である。
【図４】図４は、本発明の実施形態に係る毛髪処理方法における赤外線の波長と分光放射発散度との関係を示す図である。
【図５】図５は、本発明の実施形態に係る毛髪処理方法の実施例の様子を示す図である。
【発明を実施するための形態】
【００１８】
以下は、本発明の第一実施形態に係る毛髪処理方法の説明であり、理美容施設において毛髪処理方法が実行される場合についての説明である。なお、例えば、家庭内において毛髪処理方法が実行される場合もある。
【００１９】
毛髪処理方法は、毛髪を濡らす洗髪手順と、濡れた毛髪から水分を直接吸水する一次乾燥手順と、赤外線で毛髪の表面の水分を気化させると共に熱風ではない風を毛髪に当てることで、毛髪の内部に水分を残して毛髪の表面を乾かす二次乾燥手順とを経る。
【００２０】
洗髪手順では、毛髪処理方法による施術を受ける被施術者が、例えばシャンプー台などにおいて施術者によって洗髪され、毛髪が濡れた状態となる。洗髪は、シャンプーなどの洗剤が用いられてもよく、一方、温水のみによるものであってもよい。
【００２１】
一次乾燥手順では、繊維製部材を毛髪に接触させ、毛髪の水分を繊維製部材に吸収させる。繊維製部材は、例えばタオルなどであり、天然繊維や化学繊維である。いわゆるタオルドライは簡便な手段であり、毛髪から水分を適度に取り除くことができる。例えば、施術者は、繊維製部材で頭髪を覆い、または適度に擦ることで、頭髪から水滴が落ちない程度に毛髪から水分を取り除く。なお、毛量、毛髪の太さ、髪質などは、被施術者ごとに個体差があるため、一次乾燥手順による毛髪の乾燥の度合いは、一義的に定量化できるものではない。
【００２２】
二次乾燥手順では、例えば、毛髪処理装置が用いられる。以下は、毛髪処理装置の説明である。図１は、毛髪処理装置１の外観が示されている。以下の説明では、設置面に対して垂直な方向である鉛直方向が、上下方向であり、被施術者（図示省略）に向けられる側が正面方向であり、その反対側が背面方向である。
【００２３】
図１に示されているとおり、毛髪処理装置１は、設置面に自立する支持部２と、この支持部２の上端部に連結されて支持された施術本体部１５とを有している。
【００２４】
支持部２は、上下方向に縦長であり、上方部が鈍角に折れ曲がって傾斜している。支持部２は、複数のキャスター３ａ〜ｄが取り付けられた支持脚部４と、この支持脚部４が下端部に接続された支持本体部８と、この支持本体部８の上端部に接続された支持連結部１１とを有している。
【００２５】
支持脚部４は、ほぼ水平方向に広がった“Ｘ”字状の水平脚部５の各先端にキャスター３ａ〜ｄが取り付けられ、水平脚部５の中心から垂直脚部６が上方に伸びている。水平脚部５は、中心の下部に、ペダル７が備えられている。
【００２６】
支持本体部８は、上下方向に長手の筐体に、電源部（図示省略）、制御部（図示省略）、ピストンシリンダー（図示省略）などが内蔵されている。ピストンシリンダーは、例えばガス式、油圧式などであり、支持脚部４のペダル７と連結されている。筐体は、正面側に電源スイッチ９が備えられ、背面側の上端部に、操作部１０が形成されている。
【００２７】
支持連結部１１は、上下方向に長手の垂直連結部１２と、この垂直連結部１２の上端部から、斜め上方かつ前方に向けて伸びた傾斜連結部１３と、この傾斜連結部１３の先端部に取り付けられた連結本体部１４とを有している。連結本体部１４は、筐体に例えばギアモーター（図示省略）が内蔵されている。支持連結部１１は、支持脚部４のペダル７が操作されることによって、支持本体部８のピストンシリンダーが稼働し、支持本体部８に対して上昇する。支持連結部１１は、任意の高さで止められる。
【００２８】
施術本体部１５は、上下方向に長手のほぼ直方体であり、一方の端部である上端部に連結腕部１６を有している。連結腕部１６は、連結本体部１４に連結され、支持連結部１１のギアモーターに接続されている。すなわち、施術本体部１５は、ギアモーターを介して、連結本体部１４に対して回転する。施術本体部１５の回転軸Ｘは、垂直方向に対して傾斜し、垂直方向の軸と回転軸Ｘとは鈍角である。なお、施術本体部１５の長さは、任意である。例えば、施術本体部１５は、上端部が被施術者の頭頂部の近傍に配置され、回転軸Ｘ上に頭部が配置された場合に、施術本体部１５の他方の端部である下端部が、後頭部、首、肩、背中の近傍に配置される程度の長さである。
【００２９】
以下は、施術本体部１５についての詳細な説明である。図２は、施術本体部１５の外観が示され、図３は、施術本体部１５の断面が示されている。
【００３０】
図２および図３に示されているとおり、施術本体部１５は、正面側に開口部１８が形成された本体カバー部１７と、この本体カバー部１７の内側に収容された送風部２０と、開口部１８に取り付けられた赤外線放射部２１、反射部２２および吹出し口２６と、この吹出し口２６の近傍に配置されて風向きを制御する風向板２７と、開口部１８を覆う格子状のガードカバー２８とを有している。
【００３１】
本体カバー部１７は、上下方向に長手のほぼ直方体であり、側面に吸気孔１９が形成されている。開口部１８も、本体カバー部１７の長手方向に沿って上下方向に長手である。ガードカバー２８は、開口部１８の長さに対応して上下方向に長手である。
【００３２】
反射部２２および吹出し口２６は、開口部１８におけるガードカバー２８よりも内側において、互いに隣接して取り付けられている。反射部２２は、開口部１８の長さに対応して上下方向に長手であり、断面が、弧状に湾曲した形状である。反射部２２の凹面２３は、施術本体部１５の外側に向けられ、凸面２４は、施術本体部１５の内側に向けられている。反射部２２は、施術本体部１５の上端部側であって、反射部２２において中心よりも吹出し口２６に近い側の近傍に、通風孔２５が形成されている。なお、通風孔２５の形状および数は任意である。吹出し口２６は、開口部１８の長さに対応して上下方向に長手であり、例えば、ハニカム構造などによる整流器を有している。風向板２７は、開口部１８の長さに対応して上下方向に長手であり、吹出し口２６に対して反射部２２と反対側に取り付けられている。
【００３３】
赤外線放射部２１は、開口部１８の長さに対応して上下方向に長手のカーボンヒーターであり、例えば、石英ガラスなどで棒状に形成された容器３０に、フィラメント状のカーボンが編み込まれて扁平な薄板状に形成された線源部３１が封入されている。赤外線放射部２１は、反射部２２の凹面２３側における中心に配置され、両放射面が、いずれも反射部２２の凹面２３と対面している。赤外線照射部２１と凹面２３との距離は、反射部２３が過剰に加熱されない程度である。赤外線は、例えば、波長が２．５から３．５μｍ付近において、分光放射発散度が１００００／ｍ２・μｍ以上であることが好ましい。また、波長が２．０から２．５μｍであり、分光放射発散度が４００００／ｍ２・μｍ以上であることが好ましい（図４参照。）。
【００３４】
送風部２０は、例えばクロスフローファンであり、開口部１８の長さに対応して上下方向に長手である。送風部２０は、反射部２２の凸面２４側において、本体カバー部１７の内側に配置されている。なお、羽の形状や数は任意である。
【００３５】
以上のとおり、毛髪処理装置１が構成されている。以下は、毛髪処理方法の二次乾燥手順における毛髪処理装置１の動作の説明である。
【００３６】
例えば、図１において、毛髪処理装置１は、被施術者の背面に設置され、連結腕部１６が被施術者の頭部の近傍に配置される。回転軸Ｘ上に頭部が配置され、施術本体部１５が被施術者の後頭部の近傍に配置される。その際、施術本体部１５は、支持脚部４のペダル７が操作されることによって、支持本体部８のピストンシリンダーが稼働し、支持本体部８に対して支持連結部１１と共に昇降する。反射部２２における被施術者の頭部側の端部と被施術者の頭部との間隔は、約５０から３００ｍｍである。電源スイッチ９が入れられると、図３において、赤外線放射部２１から赤外線が放射される。赤外線は、反射部２２の凹面２３に向けられているため、凹面２３で毛髪に向けて反射する。同時に、送風部２０が稼働すると、吸気孔１９から吸気され（流路２９ａ）、風が反射部２２の凸面２４に送られる（流路２９ｂ）。凸面２４に当たった風は、反射部２２の熱で極僅かに加温され、熱風ではない状態で、風向板２７に当たって吹出し口２６から放出される（流路２９ｃ、２９ｄ）。風量は、例えば１ｍ３／ｍｉｎである。
【００３７】
反射部２２で反射した赤外線は、毛髪の表面の水分に吸収され、毛髪は、内部に水分が残って潤ったまま、表面の水分のみが気化する。同時に、毛髪は、送風部２０からの風が当たることで、内部の潤いが残ったまま表面のキューティクルが引き締められる。風は、頭髪の表面だけでなく、密集した頭髪をかき分けて、内部の毛髪に届くため、頭髪全体に渡って各毛髪が同様に処理される。すなわち、毛髪は、内部に水分を残しつつ、表面が乾燥することで、三次乾燥手順を処理するうえで適切な状態となる。
【００３８】
また、施術本体部１５は、支持本体部８の操作部１０で選択された動作モードに従って、支持部２に対して被施術者の頭部の周囲を回転する。例えば、施術本体部１５のうち、回転中心から最も離れた下端部が、鉛直方向における下端に配置された状態（図１参照。）の回転角を０度とした場合、施術本体部１５は３６０度回転することができる。なお、動作モードを決定するプログラムは任意であるため、施術本体部１５は、任意の回転角において往復運動することもでき、また、回転運動や往復運動をせずに、任意の回転角の位置で停止することもできる。
【００３９】
上記のとおり、第一実施形態に係る毛髪処理方法が行われる。この毛髪処理方法によれば、毛髪は、内部に水分を残しつつ、表面が乾燥することで、毛髪を乾燥させる際のダメージが抑えられ、さらに、例えば、後述の三次乾燥手順などを経るうえで適切な状態となる。
【００４０】
以下は、三次乾燥手順を含む第二実施形態に係る毛髪処理方法の説明である。
【００４１】
第二実施形態に係る毛髪処理方法は、第一実施形態に係る毛髪処理方法の後に、熱風で毛髪を乾かす三次乾燥手順を経る。すなわち、第二実施形態に係る毛髪処理方法は、洗髪手順と、一次乾燥手順と、二次乾燥手順と、三次乾燥手順とを経る。なお、洗髪手順、一次乾燥手順および二次乾燥手順は、第一実施形態に係る毛髪処理方法と同じである。
【００４２】
三次乾燥手順では、例えば、ハンドドライヤーなどが用いられ、セットやブローなどによる仕上げの整髪が行われる。この毛髪処理方法によれば、毛髪が適切な状態において、適切なブローやヘアセットをすることができる。毛髪の内部に水分が残っているため、例えば、ハンドドライヤーなどで毛髪のうねりを伸ばしながら乾燥させることができる。
【００４３】
以下は、第三実施形態に係る毛髪処理方法の説明である。
【００４４】
第三実施形態に係る毛髪処理方法は、一次乾燥手順の後、二次乾燥手順の前に、処理剤を毛髪に塗布する塗布手順を経る。すなわち、第三実施形態に係る毛髪処理方法は、洗髪手順と、一次乾燥手順と、塗布手順と、赤外線で毛髪の表面の水分を気化させると共に熱風ではない風を毛髪に当てることで、毛髪の内部に水分を残して毛髪の表面を乾かし、かつ、処理剤を浸透させる二次乾燥手順とを経る。なお、仕上げの整髪として、三次乾燥手順を経てもよい。洗髪手順、一次乾燥手順および二次乾燥手順は、第一実施形態に係る毛髪処理方法と同じであり、三次乾燥手順は、第二実施形態に係る毛髪処理方法と同じである。
【００４５】
処理剤は、例えば、オイルやトリートメント剤などであり、素手、櫛、刷毛、スプレーなどの手段で毛髪に直接塗布される。処理剤が毛髪に塗布された状態で、二次乾燥手順を経ることで、処理剤が毛髪に浸透しやすくなる。詳説すれば、波長が３μｍ付近の遠赤外線であれば、共鳴吸収により、処理剤と毛髪の内部における水分の分子運動が活性化する。また、三次乾燥手順において、ブローによる仕上げの整髪がしやすくなる。
【００４６】
さらに、他の実施形態に係る毛髪処理方法として、上記した第一実施形態から第三実施形態において、二次乾燥手順の後に塗布手順を経てもよい。また、三次乾燥手順の途中で、ワックスやクリームなどの整髪剤を毛髪に塗布してもよい。
【００４７】
上記した各実施形態に係る毛髪処理方法において、毛髪処理装置１が用いられた場合、施術本体部１５が、自立した支持部２によって被施術者の頭部の近傍に配置されるため、施術者に頼らず、自動的に毛髪を処理することができる。
【００４８】
施術本体部１５の吹出し口２６は、ハニカム構造であるため、整流された風が、強く直線的に放出する。そのため、強く直線的な風は、頭髪の表面だけでなく、密集した頭髪をかき分けて、内部の毛髪に届く。そのため、毛髪処理装置１によれば、毛髪をふわりと、かつ、斑なく処理することができる。
【００４９】
施術本体部１５は、支持連結部１１のギアモーターを介して、連結本体部１４に対して、被施術者の頭部の周囲を回転する。そのため、毛髪処理装置１によれば、頭髪の全体を斑なく処理することができる。
【００５０】
施術本体部１５は、上下方向に長手であり、この施術本体部１５の上端部の連結腕部１６が、支持部２の連結本体部１４に連結されている。そのため、毛髪処理装置１によれば、長髪を斑なく処理することができる。
【００５１】
なお、上記した各実施形態では、二次乾燥手順において毛髪処理装置１が用いられたが、例えば赤外線照射装置とハンドドライヤーとで二次乾燥手順が実行されてもよい。
【００５２】
以下は、本発明の実施例の説明である。実施例は、第一実施形態に係る毛髪処理方法に基づいた二種類の検証である。第一の検証は、各乾燥手順後における毛髪の水分量に関するものであり、第二の検証は、頭髪における櫛どおりなどに関する検証である。図５および表１から表３は、第一の検証に関するものであり、図５は、実施例において用いられた毛髪のサンプル、表１から表３は、検証結果である。表４から表１０は、第二の検証に関する検証結果である。
【００５３】
＜第一の検証＞
図５に示されているとおり、第一の検証では、ダメージ処理された毛髪を束ねた蓑毛が用いられた（図５（ａ））。毛束がウイッグに取り付けられた状態で、洗髪手順、一次乾燥手順、二次乾燥手順を経る（図５（ｂ））。一次乾燥手順はタオルドライであり、二次乾燥手順では、毛髪処理装置１が用いられた。反射部２２と頭部との間隔は、例えば、約５０から３００ｍｍである（図５（ｃ））。手順ごとに毛束の重量が測定されることで、各手順において毛髪にどの程度の水分が残されているか（換言すれば毛髪がどの程度乾燥したか）がわかる。なお、髪質に個体差があることから、ダメージ処理の度合いは、定量化できるものではないが、本実施例におけるダメージ処理は、カラーが二回、パーマが一回施術された場合である。
【００５４】
下表１に示されているとおり、第一の検証では、乾燥した状態で８．５ｇの毛束が用いられた。二次乾燥手順は、８分、１０分、１２分の三回に渡って測定された。洗髪手順後、一次乾燥手順後、二次乾燥手順後のそれぞれの毛髪の重量は、表１のとおりである。
【００５５】
【表１】
2020044030.tif 000003
【００５６】
各手順後の毛髪の水分量および平均値は、表１から求められ、表２のとおりである。
【００５７】
【表２】
2020044030.tif 000004
【００５８】
平均値から、毛髪が濡れた状態の水分量を１００％としたときの各手順後の水分量の割合は、表２から求められ、表３のとおりである。
【００５９】
【表３】
2020044030.tif 000005
【００６０】
表３からわかるとおり、毛髪に含まれる水分は、一次乾燥手順後では６８％、二次乾燥手順後では、８分後が５１％、１０分後が４８％、１２分後が４３％である。すなわち、実施例によれば、一次乾燥手順では、毛髪を三割程度（３２％）乾燥させ、二次乾燥手順では、毛髪を五割から六割程度（４９％から５７％）乾燥させることで、適切な毛髪の状態となる。
【００６１】
＜第二の検証＞
第二の検証では、ダメージ処理された幅３０ｃｍ、長さ２２０ｃの蓑毛が３枚重ねて縫い付けられた毛束が用いられた。実施例１から８、比較例１から８の合計１６本の毛束が用いられ、それぞれ、洗髪手順、一次乾燥手順、二次乾燥手順を経る。二次乾燥手順では、毛髪処理装置１が用いられ、比較例では、ハンドドライヤーが用いられた。ダメージ処理は、ブリーチが一回、パーマが一回施術された場合である（ビューライトＮＡ−２５ｓ  ２５％水溶液に一時間浸漬後、約４０度の湯で洗浄、ハンドドライヤーで乾燥したもの。）。
【００６２】
１６本の毛束における櫛どおり時の荷重は、下表４のとおりである。櫛どおりのテストでは、コーミングテスター（岩瀬コスファ株式会社製）が用いられ、毛束に櫛を十回とおし、そのうちの八回目から十回目のそれぞれにおけるピーク値の平均が算出された。
【００６３】
【表４】
2020044030.tif 000006
【００６４】
１６本の毛束を、ビューライトＮＡ−２５ｓ  ２５％水溶液に十分間浸漬させ、約４０度の湯で洗浄した。実施例１から８は、ウイッグに取り付けられた状態で十分間、毛髪処理装置１による二次乾燥手順が実行された。比較例１から８は、ウイッグに取り付けられた状態で十分間、１５０ｍｍ離れた位置からハンドドライヤー（Ｈｉｇｈモード）で乾燥した。櫛どおり時の荷重は、下表５、表６のとおりである。
【００６５】
【表５】
2020044030.tif 000007
【００６６】
【表６】
2020044030.tif 000008
【００６７】
実施例の平均と比較例の平均とから、櫛どおり時の荷重に大きな相違はないともいえるが（表６参照。）、下表７、表８に示されているとおり、比較例では、ハンドドライヤーによる乾燥後、櫛どおり時の荷重が増えたのに対し、実施例では、毛髪処理装置１による二次乾燥手順後、櫛どおり時の荷重が減っている。
【００６８】
【表７】
2020044030.tif 000009
【００６９】
【表８】
2020044030.tif 000010
【００７０】
さらに、二次乾燥手順またはハンドドライヤーによって乾燥した１６本の毛束における静電気を測定したところ、下表９、表１０に示されているとおり、実施例の静電気は、比較例の静電気の１／３程度である。このことは、実施例の毛髪の内部に水分が残されていることから、毛束が帯電し辛いためであると考えられる。
【００７１】
【表９】
2020044030.tif 000011
【００７２】
【表１０】
2020044030.tif 000012
【００７３】
以上、本開示の実施形態を詳述したが、本開示は上記実施形態に限定されるものではない。そして本開示は、特許請求の範囲に記載された事項を逸脱することがなければ、種々の設計変更を行うことが可能である。
【符号の説明】
【００７４】
１              毛髪処理装置
２              支持部
３ａ〜３ｄ      キャスター
４              支持脚部
５              水平脚部
６              垂直脚部
７              ペダル
８              支持本体部
９              電源スイッチ
１０            操作部
１１            支持連結部
１２            垂直連結部
１３            傾斜連結部
１４            連結本体部
１５            施術本体部
１６            連結腕部
１７            本体カバー部
１８            開口部
１９            吸気孔
２０            送風部
２１            赤外線放射部
２２            反射部
２３            凹面
２４            凸面
２５            通風孔
２６            吹出し口
２７            風向板
２８            ガードカバー
２９ａ〜２９ｄ  流路
３０            容器
３１            線源部
Ｘ              回転軸
【図１】
2020044030.tif 000013
【図２】
2020044030.tif 000014
【図３】
2020044030.tif 000015
【図４】
2020044030.tif 000016
【図５】
2020044030.tif 000017
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
濡れた毛髪から水分を直接吸水する一次乾燥手順と、
赤外線を放射する赤外線放射部と、風が放出される吹出し口とが、共通の開口部において隣接して備えられた装置を用いて、前記赤外線放射部の赤外線で毛髪の表面の水分を気化させると共に、前記吹出し口からの冷風でも熱風でもない風を毛髪に当てることで、毛髪の内部に水分を残して毛髪の表面を乾かす二次乾燥手順と、を経る、
ことを特徴とする毛髪処理方法。
【請求項２】
前記装置が、
送風部と、この送風部の正面側において、真正面からずれて配置された反射部と、この反射部の正面側に配置された前記赤外線放射部とを有する、
ことを特徴とする請求項１に記載された毛髪処理方法。
【請求項３】
前記二次乾燥手順の後に、熱風で毛髪を乾かす三次乾燥手順を経る、
ことを特徴とする請求項１または請求項２に記載された毛髪処理方法。
【請求項４】
前記一次乾燥手順の後、前記二次乾燥手順の前に処理剤を毛髪に塗布し、前記二次乾燥手順において処理剤を毛髪に浸透させる、
ことを特徴とする請求項１から請求項３のいずれか１項に記載された毛髪処理方法。
【請求項５】
前記赤外線は、波長が２．５から３．５μｍのとき、分光放射発散度が１００００／ｍ２・μｍ以上である、
ことを特徴とする請求項１から請求項４のいずれか１項に記載された毛髪処理方法。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
濡れた毛髪から水分を直接吸水する一次乾燥手順と、
装置を用いて、赤外線で毛髪の表面の水分を気化させると共に、冷風でも熱風でもない風を毛髪に当てることで、毛髪の内部に水分を残して毛髪の表面を乾かす二次乾燥手順と、を経るものであり、
前記装置が、
風を発生させる送風部と、
この送風部の正面側に配置された反射部と、
この反射部の正面側に配置されて赤外線を放射する赤外線放射部と、
前記送風部の正面側において前記反射部とは別個に前記反射部の側方に隣接して配置されて前記送風部からの風が放出される吹出し口と、を有する、
ことを特徴とする毛髪処理方法。
【請求項２】
前記反射部が、前記送風部の真正面から、前記吹出し口側と反対側にずれて配置された、
ことを特徴とする請求項１に記載された毛髪処理方法。
【請求項３】
前記装置が、設置面に自立する支持部を有する、
ことを特徴とする請求項１または請求項２に記載された毛髪処理方法。
【請求項４】
前記装置が、長手であると共に一方の端部を回転軸として回転可能であり、
前記反射部が、前記一方の端部側に通風孔を有する、
ことを特徴とする請求項１から請求項３のいずれか１項に記載された毛髪処理方法。
【請求項５】
前記二次乾燥手順が、８から１２分である、
ことを特徴とする請求項３、または、請求項３に従属する請求項４に記載された毛髪処理方法。